(57)【要約】      （修正有）【課題】梯子の踏みざんの取付並びに製造方法に関し、支柱および踏ざんを安価な設備で結合させる。【解決手段】梯子は、長さと交差する方向にのびた段孔23が形成されている支柱11と、段孔23に端部がはめ入れられている踏ざん12と、踏ざん12の同端部にはめ入れられている結合リング32とを備えており、結合リング32の全周の少なくとも一部に、踏ざん12の同端部を介して段孔23の周面に押圧された半径方向膨出状押圧部51が設けられている。【選択図】図４
2006193964.tif 000002
【特許請求の範囲】
【請求項１】
長さと交差する方向にのびた段孔が形成されている支柱と、段孔に端部がはめ入れられている踏ざんと、踏ざんの同端部にはめ入れられている結合リングとを備えており、結合リングの全周の少なくとも一部に、踏ざんの同端部を介して段孔の周面に押圧された半径方向膨出状押圧部が設けられている梯子。
【請求項２】
支柱に長さと交差する方向にのびた段孔を形成する第１ステップと、段孔に踏ざんの端部をはめ入れる第２ステップと、第２ステップの前または後に、踏ざんの同端部に結合リングをはめ入れる第３ステップと、結合リングの全周の少なくとも一部を半径方向外方に膨出させるように変形させて押圧部を設け、これを踏ざんの同端部を介して段孔の周面に押圧させる第４ステップとよりなる梯子の製造方法。
【発明の詳細な説明】
【技術分野】
【０００１】
この発明は、梯子およびその製造方法に関する。
【背景技術】
【０００２】
この種の梯子としては、長さと交差する方向にのびた段孔が形成されている支柱と、段孔に端部がはめ入れられている踏ざんと、段孔の周面と踏ざんの外面の間に介在させられている結合リングとを備えており、結合リングの外面に、結合リングの半径方向外側の部分をその両側から一対の金型によって圧縮変形させて、段孔の縁部をその両側から挟み付けている係合部が設けられているものが知られている（例えば、特許文献１参照。）。
【０００３】
上記梯子では、係合部を形成するために一対の金型を必要とし、設備費が高価につく。さらに、係合部は結合リングの半径方向外側の部分だけを変形させることにより、形成されているため、その成形方法が容易ではなく、その結果、歩留まりが悪くなるという問題点がある。
【特許文献１】特公昭４８−１１４２７号公報
【発明の開示】
【発明が解決しようとする課題】
【０００４】
この発明の目的は、支柱および踏ざんを安価な設備で結合させることができ、しかも、容易に製造することのできる梯子およびその製造方法を提供することにある。
【課題を解決するための手段】
【０００５】
この発明による梯子は、長さと交差する方向にのびた段孔が形成されている支柱と、段孔に端部がはめ入れられている踏ざんと、踏ざんの同端部にはめ入れられている結合リングとを備えており、結合リングの全周の少なくとも一部に、踏ざんの同端部を介して段孔の周面に押圧された半径方向膨出状押圧部が設けられているものである。
【０００６】
この発明による梯子では、結合リングの全周の少なくとも一部に半径方向膨出状押圧部を設けるだけで、支柱および踏ざんが結合されるから、支柱および踏ざんを安価な設備で結合させることができ、しかも、容易に製造することのできる。
【０００７】
この発明による梯子の製造方法は、支柱に長さと交差する方向にのびた段孔を形成する第１ステップと、段孔に踏ざんの端部をはめ入れる第２ステップと、第２ステップの前または後に、踏ざんの同端部に結合リングをはめ入れる第３ステップと、結合リングの全周の少なくとも一部を半径方向外方に膨出させるように変形させて押圧部を設け、これを踏ざんの同端部を介して段孔の周面に押圧させる第４ステップとよりなるものである。
【０００８】
この発明による梯子の製造方法では、結合リングの全周の少なくとも一部を半径方向外方に変形させるだけで、半径方向膨出状押圧部を設けることができるから、押圧部を安価な設備で容易に製造するができる。
【発明の効果】
【０００９】
この発明によれば、支柱および踏ざんを安価な設備で結合させることができ、しかも、容易に製造することのできる梯子およびその製造方法が提供される。
【発明を実施するための最良の形態】
【００１０】
この発明の実施の形態を図面を参照しながらつぎに説明する。
【００１１】
図１〜図４は、梯子の一方の側の支柱11と、１つの段を形成している踏ざん12の一端部とを示すものである。図１および図２は、製造途中の未完成品梯子を示し、図３および図４は、製造後の完成品梯子を示している。
【００１２】
支柱11は、横断面略Ｉ字状のもので、中央ウェッブ21および両端フランジ22よりなる。ウェッブ21には段孔23が形成されている。段孔23は、角に丸みを付けられた略三角形状のものである。
【００１３】
段孔23の縁部には略テーパ状をなす短筒状ブラケット31がリベット止めされている。ブラケット31の先端開口は、段孔23と同形かつ同心となされている。段孔23からブラケット31の先端開口にかけて踏ざん12の一端部がはめ入れられている。踏ざん12は、段孔23の周面と合致させられた外面をもつ筒状のものである。踏ざん12の同端部には結合リング32がはめ入れられている。
【００１４】
支柱11、ブラケット31および踏ざん12は、A6N01SS-T5よりなる。結合リング32は、A6063SS-T1よりなる。前者の材料は、後者の材料よりも硬く、強度に勝っており、後者の材料は、前者の材料よりも延伸性に勝っている。
【００１５】
結合リング32は、図５に詳細に示すように、踏ざん12の横断面と略相似状の横断面をもつもので、三角形のなす３つの角にあたる部分にそれぞれ位置させられている３つの略半円弧状屈曲部41と、隣り合う屈曲部41同士を連絡している３つの平坦部42とよりなる。各屈曲部41には複数の軸方向溝43が並列状に形成されている。各屈曲部41の隣り合う条溝43間の面が踏ざん12の内面の角の部分にほぼ局部的に接触させられている。平坦部42の外面は、踏ざん12の内面の平坦部42にほぼ全面的に接触させられている。
【００１６】
図１および図２に示す状態に梯子を組み立てておいて、結合リング32の各屈曲部41を、図示しない拡張治具によって半径方向外方に膨出させるように変形させる。そうすると、図３および図４に示すように、主として、各屈曲部41の条溝43が押し潰されるように変形して、押圧部51となる。各屈曲部41のほぼ全体が踏ざん12の内面の角の部分にほぼ全面的に接触させらるようになる。このときに、踏ざん12の内面の角の部分も同時に膨出させられるように変形して、変形させられた部分を介して押圧部51が段孔23の周面およびブラケット31の先端開口縁部に押圧される。これにより、支柱11に踏ざん12が固定される。
【００１７】
この固定方法は、溶接方法に対し同等の固定強度をもつ。また、この方法を実施するための時間も溶接等と比較しても、極めて短時間で済む。
【００１８】
上記において、結合リング32の各屈曲部41を、主として、拡張するようにしており、拡張を容易に行えるようになっているが、勿論、結合リング32の全周にわたって拡張するようにしてもよい。
【図面の簡単な説明】
【００１９】
【図１】この発明による未完成梯子の正面図である。
【図２】同未完成梯子の断面図である。
【図３】この発明による完成梯子の正面図である。
【図４】同完成梯子の断面図である。
【図５】同未完成梯子組み立てられる結合リング32の斜視図である。
【符号の説明】
【００２０】
11  支柱
12  踏ざん
23  段孔
32  結合リング
51  押圧部
【図１】
2006193964.tif 000003
【図２】
2006193964.tif 000004
【図３】
2006193964.tif 000005
【図４】
2006193964.tif 000006
【図５】
2006193964.tif 000007